(57)【特許請求の範囲】
【請求項１】
鉄骨躯体に取り付けられるカーテンウォールであって、
屋外側に配置される金属製の屋外側枠部材と、
屋内側に配置され前記鉄骨躯体に取付金具を介して取り付けられる金属製の屋内側枠部材と、
前記屋外側枠部材と前記屋内側枠部材との間に介在されて前記屋外側枠部材と前記屋内側枠部材とを接合するとともに熱的に絶縁する絶縁接合部材と、
前記屋外側枠部材と前記屋内側枠部材とを電気的に連結する金属製の連結部材と、
を有することを特徴とするカーテンウォール。
【請求項２】
請求項１に記載のカーテンウォールであって、
前記絶縁接合部材は、断熱材料にて形成されており、
前記連結部材は、前記屋外側枠部材及び前記屋内側枠部材より熱伝導性が低い金属にて形成されていることを特徴とするカーテンウォール。
【請求項３】
請求項１または請求項２に記載のカーテンウォールであって、
前記屋外側枠部材及び前記屋内側枠部材はアルミニウム合金製であり、
前記連結部材は、ステンレス鋼製であることを特徴とするカーテンウォール。
【請求項４】
請求項１乃至請求項３のいずれかに記載のカーテンウォールであって、
前記連結部材は、耐食性を有していることを特徴とするカーテンウォール。
【請求項５】
請求項１乃至請求項４のいずれかに記載のカーテンウォールであって、
屋内外を仕切る面材を有し、
前記屋外側枠部材と前記屋内側枠部材とは前記絶縁接合部材にて接合されて、前記面材の周縁部が収容されるとともに当該面材が保持される面材収容部を形成し、
前記面材が保持されて閉塞される前記面材収容部内にて前記連結部材により前記屋外側枠部材と前記屋内側枠部材とが連結されていることを特徴とするカーテンウォール。
【請求項６】
請求項５に記載のカーテンウォールであって、
前記面材として光透過性を有する面材が設けられて窓部を形成する部位と、
前記面材として光透過性を有しない面材が設けられて壁部を形成する部位と、
を備え、
前記連結部材は、前記壁部を形成する前記面材を収容する前記面材収容部内に配置されていることを特徴とするカーテンウォール。
【請求項７】
請求項１乃至請求項６のいずれかに記載のカーテンウォールであって、
前記連結部材は、前記絶縁接合部材より融点が高い金属にて形成されていることを特徴とするカーテンウォール。
【請求項８】
請求項１乃至請求項７のいずれかに記載のカーテンウォールであって、
前記連結部材は、建物の各階の当該カーテンウォールにそれぞれ設けられていることを特徴とするカーテンウォール。
【発明の詳細な説明】
【技術分野】
【０００１】
本発明は、屋内外を仕切るカーテンウォールに関する。
【背景技術】
【０００２】
屋内外を仕切るカーテンウォールとしては、例えば、アルミフレーム（枠）で組んだ骨組にガラス等のパネルを固定してビルの外壁等を構成するカーテンウォールが知られている（例えば、特許文献１参照）。このような金属製のカーテンウォールを用いた高層建築物は、カーテンウォールの金属枠部を受雷部とし、金属枠部に落ちた雷による電流を躯体との取り付けファスナーなどを介して鉄骨に流して地中に放電しているものがある。
【先行技術文献】
【特許文献】
【０００３】
【特許文献１】特開２００３―２５３７９５号公報
【発明の概要】
【発明が解決しようとする課題】
【０００４】
カーテンウォールの金属枠部のなかには、アルミニウム合金の押出形材でなる屋外側枠部材と屋内側枠部材とを断熱性を有する樹脂製の接続部材によって連結して屋外側枠部材と屋内側枠部材との間にて熱の伝達を抑制しているものがある。屋外側枠部材と屋内側枠部材とが断熱性を有する樹脂は電気的に絶縁物なので、電気的に絶縁物でなる接続部材にて連結されているカーテンウォールは屋外側枠部材に雷が落ちたとしても、雷の電流が流れる経路が接続部材に遮られているため、鉄骨を介して地中に放電することができないという課題がある。
【０００５】
本発明は、かかる課題に鑑みてなされたものであり、その目的とするところは、屋内側と屋外側とで分割されている枠体を用いつつ雷の電流を地中に放電することが可能なカーテンウォールを提供することにある。
【課題を解決するための手段】
【０００６】
かかる目的を達成するために本発明のカーテンウォールは、鉄骨躯体に取り付けられるカーテンウォールであって、屋外側に配置される金属製の屋外側枠部材と、屋内側に配置され前記鉄骨躯体に取付金具を介して取り付けられる金属製の屋内側枠部材と、前記屋外側枠部材と前記屋内側枠部材との間に介在されて前記屋外側枠部材と前記屋内側枠部材とを接合するとともに熱的に絶縁する絶縁接合部材と、前記屋外側枠部材と前記屋内側枠部材とを電気的に連結する金属製の連結部材と、を有することを特徴とするカーテンウォールである。  
このようなカーテンウォールによれば、鉄骨躯体に取付金具を介して取り付けられる金属製の屋内側枠部材と、この屋内側枠部材との間に絶縁接合部材が介在されて接合されている金属製の屋外側枠部材とが、金属製の連結部材にて連結されているので、屋外側枠部材から鉄骨躯体の間は導通している。このため、屋外側に配置された屋外側枠部材が受雷した際には、雷の電流を、前記金属製の連結部材を介して屋内側枠部材、取付金具を経由させて鉄骨躯体に流すことが可能である。このため、屋内側と屋外側とで分割されている枠体を用いつつ雷の電流を鉄骨躯体から地中に放電することが可能なカーテンウォールを提供することが可能である。
【０００７】
かかるカーテンウォールであって、前記絶縁接合部材は、断熱材料にて形成されており、前記連結部材は、前記屋外側枠部材及び前記屋内側枠部材より熱伝導性が低い金属にて形成されていることが望ましい。  
このようなカーテンウォールによれば、絶縁接合部材が断熱材料で形成されているので、屋外側枠部材と屋内側枠部材との間に断熱部材を介して、断熱性を備えたカーテンウォールを形成することが可能である。また、屋外側枠部材と屋内側枠部材とを連結する連結部材は、屋外側枠部材及び屋内側枠部材より熱伝導性が低い金属で形成されているので、屋外側枠部材と屋内側枠部材とが一つの部材にて形成されたカーテンウォールより高い断熱性を備えることが可能である。このため、断熱性を備えつつ屋外側枠部材及び屋内側枠部材との間にて導電性を確保することが可能である。
【０００８】
かかるカーテンウォールであって、前記屋外側枠部材及び前記屋内側枠部材はアルミニウム合金製であり、前記連結部材は、ステンレス鋼製であることが望ましい。  
アルミニウム合金はステンレス鋼より軽量で加工性に優れているが熱伝導性が高い。一方、ステンレス鋼はアルミニウム合金より熱伝導性が低い。このため、アルミニウム合金製の屋外側枠部材と屋内側枠部材とをステンレス鋼製の連結部材にて連結した上記カーテンウォールによれば、カーテンウォールの断熱性を維持し、かつ、軽量で加工性が高いカーテンウォールを提供することが可能である。
【０００９】
かかるカーテンウォールであって、前記連結部材は、耐食性を有していることが望ましい。  
このようなカーテンウォールによれば、連結部材は、耐食性を有しているので、金属腐食が生じ難い。このため、金属腐食により導電性が低下することを防止することが可能である。
【００１０】
かかるカーテンウォールであって、屋内外を仕切る面材を有し、前記屋外側枠部材と前記屋内側枠部材とは前記絶縁接合部材にて接合されて、前記面材の周縁部が収容されるとともに当該面材が保持される面材収容部を形成し、前記面材が保持されて閉塞される前記面材収容部内にて前記連結部材により前記屋外側枠部材と前記屋内側枠部材とが連結されていることが望ましい。  
このようなカーテンウォールによれば、屋外側枠部材と屋内側枠部材とが絶縁接合部材にて接合され、面材が保持されて閉塞される面材収容部内にて連結部材が屋外側枠部材と屋内側枠部材とを連結しているので、連結部材、及び、連結部材と屋外側枠部材及び屋内側枠部材との接合部が、結露水や雨水等に晒されない。このため、連結部材、及び、連結部材と屋外側枠部材及び屋内側枠部材との接合部が錆びて導電性が低下することを防止し、金属腐食を防止することが可能である。
【００１１】
かかるカーテンウォールであって、前記面材として光透過性を有する面材が設けられて窓部を形成する部位と、前記面材として光透過性を有しない面材が設けられて壁部を形成する部位と、を備え、前記連結部材は、前記壁部を形成する前記面材を収容する前記面材収容部内に配置されていることが望ましい。  
このようなカーテンウォールによれば、連結部材は、光透過性を有しない面材が設けられて壁部を形成する部位を収容する面材収容部を形成する屋外側枠部材と屋内側枠部材とを連結しているので、連結部材が外部から視認しにくい。このため、意匠性に優れたカーテンウォールを提供することが可能である。
【００１２】
かかるカーテンウォールであって、前記連結部材は、前記絶縁接合部材より融点が高い金属にて形成されていることが望ましい。  
このようなカーテンウォールによれば、屋外側枠部材と屋内側枠部材とが、絶縁部材より融点が高い金属でなる連結部材にて連結されているので、たとえカーテンウォールが火炎等に晒されて絶縁接合部材が溶融したとしても、屋外側枠部材と屋内側枠部材とが連結された状態を保つことが可能である。このため、火災時などに屋外側枠部材や面材等が脱落することを防止することが可能である。
【００１３】
かかるカーテンウォールであって、前記連結部材は、建物の各階の当該カーテンウォールにそれぞれ設けられていることが望ましい。  
このようなカーテンウォールによれば、建物の各階のカーテンウォールに連結部材がそれぞれ設けられているので、建物のいずれの階に落雷しても、雷の電流を、金属製の連結部材を介して屋内側枠部材、取付金具を経由させて鉄骨躯体に流すことが可能である。
【発明の効果】
【００１４】
本発明によれば、屋内側と屋外側とで分割されている枠体を用いつつ雷の電流を地中に放電することが可能なカーテンウォールを提供することが可能である。
【図面の簡単な説明】
【００１５】
【図１】本発明に係るカーテンウォールを備えた建物のイメージ図である。
【図２】本発明に係るカーテンウォールの方立周辺の横断面図である。
【図３】本発明に係るカーテンウォールの連結部材を説明するための斜視図である。
【図４】本実施形態にかかるカーテンウォールの納まりを示す縦断面図である。
【図５】本発明に係るカーテンウォールが有する連結部材の変形例を示す横断面図である。
【図６】図５におけるＡ矢視図である。
【発明を実施するための形態】
【００１６】
以下、本発明の一実施形態について図面を用いて詳細に説明する。
【００１７】
図１は、本発明に係るカーテンウォールを備えた建物のイメージ図である。  
図１に示すように、複数の矩形状をなすカーテンウォール１０が縦横に並べて配置されて建物１の外壁が構成されている。カーテンウォール１０は、屋内外を仕切る面材１１と、面材１１の周縁部を全周に亘って保持する金属製の枠体１２と、を有している。
【００１８】
面材１１は、光透過性を有し一対の板ガラスを有する２枚の複層ガラス１１ａと光透過性を有しない２枚の外装パネル１１ｂとが上下方向に並べて配置されている。面材１１は、上側に２枚の外装パネル１１ｂが設けられ、下側に２枚の複層ガラス１１ａが設けられ、各外装パネル１１ｂと各複層ガラス１１ａとの間にはアルミニウム合金製の桟１１ｃが設けられている。ここで、本カーテンウォール１０は、上下方向の高さが、取り付けられる建物の階床間の高さと一致しており、下の２枚の複層ガラス１１ａが窓を形成し、複層ガラス１１ａの直上に配置された外装パネル１１ｂが垂れ壁を構成し、最も上の外装パネル１１ｂが上階の腰壁をなすように構成されている。
【００１９】
図２は、本発明に係るカーテンウォールの方立周辺の横断面図である。図３は、本発明に係るカーテンウォールの連結部材を説明するための斜視図である。
【００２０】
枠体１２の左右の縦枠部分と上下の横枠部分とは、カーテンウォール１０として形成された際に、縦枠部分が方立となり、横枠部分が無目となる。
【００２１】
枠体１２は、２枚の複層ガラス１１ａと２枚の外装パネル１１ｂとが一体となった面材１１の周縁部を囲むように矩形状に枠組みされており、屋内側に配置される屋内側枠部材１３と、屋外側に配置される屋外側枠部材１４とを有している。屋内側枠部材１３と屋外側枠部材１４とは、それらの間に、断熱材料にて形成され屋内側枠部材１３と屋外側枠部材１４とを接合するとともに絶縁する絶縁接合部材１５が介在されて一体をなしている。
【００２２】
屋内側枠部材１３は、絶縁接合部材１５を介して屋外側枠部材１４と連結されて一体をなす屋内側枠部本体１３ａと、屋内側枠部本体１３ａに嵌合されて屋外側枠部材１４とともに面材１１を狭持する押縁材１３ｂとを有している。屋内側枠部本体１３ａと押縁材１３ｂと屋外側枠部材１４は、アルミニウム合金製の押出成形部材である。絶縁接合部材１５としては、例えば、ポリウレタン樹脂、ガラス繊維補強ポリアミド樹脂、ＥＰＤＭ（エチレンプロピレンゴム）などが用いられる。以下の枠体１２の説明においては、縦枠部分を例に挙げて説明する。また、以下の説明では、矩形状をなす枠体１２の内側となる面材１１が設けられる側を内周側とし、枠体１２の外側となる面材１１の反対側を外周側として説明する。
【００２３】
枠体１２を構成する屋外側枠部材１４の縦枠部分は、上下方向、すなわち縦枠部分の長手方向に貫通された中空部材であり、水平断面が、見付け方向（面材の表裏面に沿う方向）が長辺側をなすほぼ長方形状の屋外本体部１４ａと屋外本体部１４ａから屋内側に突出する屋内突出部１４ｂとを有している。屋内突出部１４ｂの見付け方向の幅は、屋外本体部１４ａの見付け方向の幅より狭く、屋外本体部１４ａの見付け方向の中央より枠体１２の外周側に偏らせて設けられている。また、屋内突出部１４ｂの両側、すなわち、枠体１２の内周側と外周側に、屋外本体部１４ａの屋内側に臨む面を形成する本体外周部１４ｃ及び本体内周部１４ｄを有しており、本体外周部１４ｃの幅より本体内周部１４ｄの幅の方が広く形成されている。本体外周部１４ｃと本体内周部１４ｄには、屋外本体部１４ａにおける、枠体１２の内周側と外周側とに、ガスケット１８が嵌合されるガスケット嵌合部１４ｅがそれぞれ設けられている。
【００２４】
枠体１２を構成する屋内側枠部材１３は、見付け方向において外周側に屋内側枠部本体１３ａが配置され、屋内側枠部本体１３ａの内周側に押縁材１３ｂが配置されて嵌合されている。押縁材１３ｂが屋内側枠部本体１３ａに嵌合された状態で、屋内側枠部材１３は屋外側枠部材１４と、見付け方向に沿う線を軸としてほぼ線対称な形状をなしている。そして、屋内側枠部本体１３ａには、屋内側枠部材１３と屋外側枠部材１４とが対向するように配置された際に、屋内突出部１４ｂと対向する位置に、屋外側に突出させて屋外突出部１３ｃが設けられている。屋内側枠部材１３においても、屋外突出部１３ｃに対し枠体１２の内周側に位置して屋外側に臨む面を形成する押縁材１３ｂの押縁屋外部１３ｄが、内周側にて屋外側に臨む面を形成する屋内側枠部本体１３ａの本体側屋外部１３ｅより広く形成されている。押縁屋外部１３ｄと本体側屋外部１３ｅには、屋内側枠部材１３における、枠体１２の内周側と外周側とに、ガスケット１８が嵌合されるガスケット嵌合部１３ｆがそれぞれ設けられている。
【００２５】
屋内側枠部本体１３ａにおける、枠体１２の内周側の面には、押縁材１３ｂが嵌合される嵌合片１３ｇが設けられている。押縁材１３ｂが屋内側枠部本体１３ａに嵌合された状態では、屋内側枠部本体１３ａと押縁材１３ｂとの屋内に臨む面が平坦になるように構成されている。
【００２６】
屋内側枠部本体１３ａと屋外側枠部材１４とは、屋外突出部１３ｃの屋外側の端部と屋内突出部１４ｂの屋内側の端部とのが絶縁接合部材１５にて接合されている。絶縁接合部材１５は、見込み方向(面材１１の表裏面に対して直交する方向)に沿う２枚の板状の部位が、見付け方向に互いに間隔を隔てて並べて形成されている。
【００２７】
屋内側枠部本体１３ａと屋外側枠部材１４とが一体となった枠体１２の縦枠部分と横枠部分との端部が、各々４５度に切断され、端部同士が溶接にて接合されて矩形状に枠組みされている。枠組みされた枠体１２には、全周における１カ所、例えば、外装パネル１１ｂが設けられた腰壁又は垂れ壁等の所謂スパンドレル部分に、屋外突出部１３ｃと屋内突出部１４ｂとの内周側の面に架け渡して連結部材１６が溶着されている。本実施形態のカーテンウォール１０は、前述したように、上下方向の高さが、取り付けられる建物の階床間の高さと一致しているので、建物の各階のカーテンウォール１０にそれぞれ連結部材１６が設けられている。
【００２８】
連結部材１６は、屋外側枠部材１４が受雷した際に、雷の電流を屋外側枠部材１４から屋内側枠部材１３に流すための経路をなしている。一方、本カーテンウォール１０は、屋外側枠部材１４と屋内側枠部材１３との間に断熱材料でなる絶縁接合部材１５が介在された断熱性を有するカーテンウォール１０なので、屋外側枠部材１４と屋内側枠部材１３とを連結する連結部材１６は、屋外側枠部材１４と屋内側枠部材１３より熱伝導率が低いことが望ましい。
【００２９】
表１は、一部の金属の熱伝導率示す表である。表２は、ＪＩＳに定められた雷保護システムの材料の最小寸法を示す表である。  
0005514625.tif 000002
（「住宅の次世代省エネルギー基準と指針」第１版  平成１１年１１月１日  
Ｐ７３  表６．１．２  材料の熱伝導率表  その１  抜粋  
発  行 ： 財団法人  住宅・建築省エネルギー機構
編  集 ： 次世代省エネルギー基準解説書編集委員会）
0005514625.tif 000003
（  「ＪＩＳ  建築物等の雷保護  ＪＩＳＡ４２０１：２００３
平成１５年７月８日改訂  日本工業標準調査会  審議
２．５．２寸法    表５  雷保護システムの材料の最小寸法  
発  行 ： 日本規格協会）
【００３０】
本実施形態の連結部材１６として、表１により熱伝導率が低いステンレス鋼を選択し、引下げ導線として機能するステンレス鋼製（鉄製と同等）の連結部材１６にて断面積５０ｍｍ２を確保すべく、例えば、縦３０ｍｍ、横４０ｍｍ、厚み２ｍｍのステンレス鋼製の板材にて連結部材１６を構成している。このため、屋内側枠部本体１３ａと連結部材１６との溶接部、及び、屋外側枠部材１４と連結部材１６との溶接部の断面積も５０ｍｍ２以上確保できるように溶接されている。
【００３１】
枠組みされた枠体１２は、全周に亘って屋外側の開口部が屋内側より狭く形成されている。そして、枠体１２の外周側に位置する、屋内側枠部本体１３ａの屋内側に臨む面より、内周側に位置する本体内周部１４ｄの屋内側に臨む面が屋外側に位置して段状をなしている。
【００３２】
開口を囲むように位置する本体内周部１４ｄの内周側に位置し矩形状をなしているガスケット嵌合部１４ｅにガスケット１８が嵌合され、ガスケット１８に周縁部が当接されて面材１１が配置されている。面材１１の屋内側には、ガスケット嵌合部１３ｆにガスケット１８が嵌合された押縁材１３ｂが、屋内側枠部本体１３ａに嵌合されることにより配置されている。すなわち、屋外本体部１４ａの本体内周部１４ｄ、屋内突出部１４ｂの内周側の面、絶縁接合部材１５の内周側の面、屋外突出部１３ｃの内周側の面、押縁材１３ｂ押縁屋外部１３ｄが、面材１１の周縁部を収容する面材収容部１２ａをなしている。そして、面材１１は周縁部がガスケット１８により屋内側と屋外側とから狭持されて面材収容部１２ａに収容されている。このとき、屋内側枠部本体１３ａと屋外側枠部材１４とを連結している連結部材１６は、面材１１がガスケット１８を介して収容されることにより閉塞された面材収容部１２ａ内に配置される。
【００３３】
図４は、カーテンウォールの納まりを示す側面図である。  
図４に示すように、カーテンウォール１０が有する屋内側枠部本体１３ａ屋内側の面には、山形鋼でなるカーテンウォール側取付金具２０がボルト２８とナット２９で固定されている。一方、カーテンウォール１０が設けられる鉄骨躯体３０は、Ｈ型鋼でなる複数の柱３１のうちの隣接する各柱３１間に、Ｈ型鋼でなる梁３２が掛け渡されるとともに溶接されて構成され、梁３２の上部側にはブラケット３３が溶接されている。
【００３４】
ブラケット３３は、断面形状が、柱３１や梁３２をなすＨ型鋼のほぼ半分の大きさをなすＨ型鋼である。ブラケット３３は、梁３２の長手方向とほぼ直交する方向、すなわち見込み方向に沿って設けられ、梁３２の上側のフランジ３２ａとブラケット３３の上側のフランジ３３ａとが平坦になるように、ブラケット３３の一部が切除されて溶接されている。ブラケット３３の上部には、山形鋼でなる躯体側取付金具２２が溶接されている。
【００３５】
そして、カーテンウォール側取付金具２０と躯体側取付金具２２とは、山形鋼でなるファスナー２４を介して、それぞれボルト２８とナット２９とで固定されている。このとき、屋内側枠部本体１３ａとカーテンウォール側取付金具２０、カーテンウォール側取付金具２０とファスナー２４、ファスナー２４と躯体側取付金具２２、躯体側取付金具２２とブラケット３３、ブラケット３３と梁３２、梁３２と柱３１の何れの接合部も接合部分の断面積も５０ｍｍ２以上確保されている。このため、カーテンウォール１０の屋外側枠部材１４が受雷した場合には、電流は連結部材１６を経由して屋内側枠部本体１３ａから柱３１まで流れ、地中に放電されるように構成されている。ここで、カーテンウォール側取付金具２０、躯体側取付金具２２、ファスナー２４、ブラケット３３が、屋内側枠部材１３を鉄骨躯体３０に取り付ける取付金具に相当する。
【００３６】
上記実施形態のカーテンウォール１０によれば、柱３１に溶接された梁３２に、カーテンウォール側取付金具２０、ファスナー２４、躯体側取付金具２２、ブラケット３３、を介して取り付けられるアルミニウム合金製の屋内側枠部本体１３ａと、この屋内側枠部本体１３ａとの間に絶縁接合部材１５が介在されたアルミニウム合金製の屋外側枠部材１４とが、ステンレス鋼製の連結部材１６にて連結されているので、屋外側枠部材１４から柱３１までの間は導通している。このため、屋外側に配置された屋外側枠部材１４が受雷した際には、雷の電流を、連結部材１６、屋内側枠部本体１３ａ、カーテンウォール側取付金具２０、ファスナー２４、躯体側取付金具２２、及び、ブラケット３３を経由させて柱３１に流すことが可能である。
【００３７】
また、絶縁接合部材１５が樹脂などの断熱材料で形成されているので、屋外側枠部材１４と屋内側枠部材１３との間に断熱材料が介在されることにより、断熱性を備えたカーテンウォール１０を形成することが可能である。また、屋外側枠部材１４と屋内側枠部本体１３ａとを連結する連結部材１６は、屋外側枠部材１４及び屋内側枠部材１３より熱伝導性が低いステンレス鋼にて形成されているので、枠体が一部材にて形成されたカーテンウォールより高い断熱性を有している。このため、屋外側枠部材１４及び屋内側枠部材１３との間にて導電性を確保しつつ、断熱性を備えることが可能である。
【００３８】
また、アルミニウム合金はステンレス鋼より軽量で加工性に優れているが熱伝導性が高いため、カーテンウォール１０の枠部分をなす屋外側枠部材１４と屋内側枠部材１３とをアルミニウム合金製とすることにより、軽量で加工性高いカーテンウォール１０を形成することが可能である。そして、熱伝導性がアルミニウム合金より低いステンレス鋼製の連結部材１６にて屋外側枠部材１４と屋内側枠部材１３とを連結することにより、カーテンウォール１０の断熱性も維持することが可能である。
【００３９】
また、連結部材１６は、耐食性を有するステンレス鋼製なので、金属腐食が生じ難い。このため、金属腐食により導電性が低下することを防止することが可能である。
【００４０】
また、屋外側枠部材１４と屋内側枠部材１３とが絶縁接合部材１５にて接合され、面材１１が保持されて閉塞される面材収容部１２ａ内にて連結部材１６が屋外側枠部材１４と屋内側枠部材１３とを連結しているので、連結部材１６、及び、連結部材１６と屋外側枠部材１４及び屋内側枠部材１３との接合部が、結露水や雨水等に晒されない。このため、連結部材１６、及び、連結部材１６と屋外側枠部材１４及び屋内側枠部材１３との接合部が錆びて導電性が低下することを防止し、金属腐食を防止することが可能である。
【００４１】
また、連結部材１６は、光透過性を有しない外装パネル１１ｂが設けられて壁を形成する部位を収容する面材収容部１２ａを形成する屋外側枠部材１４と屋内側枠部材１３とを連結しているので、連結部材１６が外部から視認しにくい。このため、意匠性に優れたカーテンウォール１０を提供することが可能である。
【００４２】
また、屋外側枠部材１４と屋内側枠部材１３とが、樹脂でなる絶縁接合部材１５より融点が高いステンレス鋼でなる連結部材１６にて連結されているので、例えば、カーテンウォール１０が火炎等に晒されて絶縁接合部材１５が溶融したとしても、屋外側枠部材１４と屋内側枠部材１３とが連結された状態を保つことが可能である。このため、火災時などに屋外側枠部材１４や面材１１等が脱落することを防止することが可能である。
【００４３】
また、連結部材１６と屋外側枠部材１４及び屋内側枠部材１３とが連結されている接合部の断面積は何れも５０ｍｍ２以上なので、屋外側枠部材１４が受雷した際には、雷の電流を確実に屋内側枠部材１３側に流すことが可能である。
【００４４】
また、連結部材１６は、建物の各階のカーテンウォール１０にそれぞれ設けられているので、建物のいずれの階に落雷しても、雷の電流を、金属製の連結部材１６を介して屋内側枠部本体１３ａ、カーテンウォール側取付金具２０、ファスナー２４、躯体側取付金具２２、及び、ブラケット３３を経由させて柱３１に流すことが可能である。
【００４５】
図５は、本発明に係るカーテンウォールが有する連結部材の変形例を示す横断面図である。図６は、図５におけるＡ矢視図である。
【００４６】
上記実施形態においては、屋外突出部１３ｃと屋内突出部１４ｂとの内周側の面に架け渡されて連結部材１６が溶着されている例について説明したが、図５、図６に示すように屋外突出部１３ｃと屋内突出部１４ｂとの内周側の面にステンレス鋼製のビス３５を用いて固定しても良い。このとき、屋外突出部１３ｃと連結部材１６及び屋内突出部１４ｂと連結部材１６とのビス３５による接合部の断面積の合計は何れも５０ｍｍ２以上である。また、連結部材１６と屋内側枠部材１３及び屋外側枠部材１４との連結は、溶接、ビス止めに限らず、電気的に繋がって必要断面積が確保されていれば構わない。
【００４７】
上記実施形態において、連結部材１６を屋外突出部１３ｃ及び屋内突出部１４ｂに溶接して屋内側枠部材１３と屋外側枠部材１４とを連結した例について説明したが、屋内側枠部材１３と屋外側枠部材１４とを連結する位置は、屋外突出部１３ｃ及び屋内突出部１４ｂに限らない。
【００４８】
また、上記実施形態においては連結部材１６をステンレス鋼製としたが、これに限らず、例えば、銅、溶融亜鉛メッキ鋼、鉛など、アルミニウム合金、これらの金属と同等の導電性・耐食性を有していればいずれの金属を用いても構わない。
【００４９】
また、上記実施形態は、本発明の理解を容易にするためのものであり、本発明を限定して解釈するためのものではない。本発明は、その趣旨を逸脱することなく、変更、改良さ
【符号の説明】
【００５０】
１  建物、１０  カーテンウォール、１１  面材、１１ａ  複層ガラス、
１１ｂ  外装パネル、１１ｃ  桟、１２  枠体、１２ａ  面材収容部、
１３  屋内側枠部材、１３ａ  屋内側枠部本体、１３ｂ  押縁材、
１３ｃ  屋外突出部、１３ｄ  押縁屋外部、１３ｅ  本体側屋外部、
１３ｆ  ガスケット嵌合部、１３ｇ  嵌合片、１４  屋外側枠部材、
１４ａ  屋外本体部、１４ｂ  屋内突出部、１４ｃ  本体外周部、
１４ｄ  本体内周部、１４ｅ  ガスケット嵌合部、
１５  絶縁接合部材、１６  連結部材、１８  ガスケット、
２０  カーテンウォール側取付金具、２２  躯体側取付金具、２４  ファスナー、
２８  ボルト、２９  ナット、３０  鉄骨躯体、３１  柱、３２  梁、
３２ａ  フランジ、３３  ブラケット、３３ａ  フランジ、３５  ビス
【図１】
0005514625.tif 000004
【図２】
0005514625.tif 000005
【図３】
0005514625.tif 000006
【図４】
0005514625.tif 000007
【図５】
0005514625.tif 000008
【図６】
0005514625.tif 000009